【手続補正書】
【提出日】平成25年3月7日(2013.3.7)
【手続補正１】
【補正対象書類名】特許請求の範囲
【補正対象項目名】請求項１
【補正方法】変更
【補正の内容】
【請求項１】
固定状態に設けられた基部配管(34)の端部のねじ部(42)に螺合して流量調整体保持体(100、200)を取り付け、当該流量調整体保持体に対して吐液管(10)を回転自在に取り付け、前記流量調整体保持体中に流量調整体(176)を配置した流量調整体の取付装置において、
前記流量調整体保持体は、筒状の基部取付体(102、202)及び吐液管取付体(104、204)を含み、
前記吐液管取付体は前記基部取付体に対し回転対偶であって、かつ、軸線方向に移動不能に前記流量調整体保持体内に配置された回転対偶取付部(118)を介して取り付けられ、
前記基部取付体は一端部に前記基部配管(34)のねじ部(42、228)にねじ込み可能なねじ部(114)、外周面に特殊工具(124)を係止するための特殊工具係止部(112、214)を有し、
前記吐液管取付体は、外周面に前記特殊工具を係止するための特殊工具係止部(158、246)、及び前記吐液管の保持のためのねじ部(156)、が形成されていることを特徴とする流量調整体の取付装置。
【手続補正２】
【補正対象書類名】特許請求の範囲
【補正対象項目名】請求項５
【補正方法】変更
【補正の内容】
【請求項５】
前記吐液管は水道の蛇口(12)であることを特徴とする請求項1〜3の流量調整体の取付装置。
【手続補正３】
【補正対象書類名】特許請求の範囲
【補正対象項目名】請求項６
【補正方法】変更
【補正の内容】
【請求項６】
前記吐液管はシャワーヘッド(230)であることを特徴とする請求項４の流量調整体の取付装置。
【手続補正４】
【補正対象書類名】明細書
【補正対象項目名】００１７
【補正方法】変更
【補正の内容】
【００１７】
請求項3の発明によれば、流量調整体保持体は基部取付体及び吐液管取付体よりなり、基部取付体は、特殊工具係止部に係止された特殊工具によって、その端部の内ねじ部が基部配管の端部の外ねじ部にねじ込まれ、基部配管に強固に螺合される。
換言すれば、基部取付体は特殊工具を使用しなければ、基部配管から取り外すことができない。
吐液管取付体はその軸部が基部取付体の軸受孔に挿入され、回転可能であるが、軸線方向にはスライド不能に取り付けられている。
そして、吐液管は吐液管取付体の外ねじ部に保持ナットの内ねじ部をねじ込まれ、吐液管取付体の外周面の特殊工具係止部に特殊工具が係止された状態において、保持ナットが締め付けられ、強固にねじ込まれる。
換言すれば、吐液管は吐液管取付体の特殊工具係止部に特殊工具を係止しなければ吐液管取付体から取り外すことができない。
吐液管が回転された場合、摩擦接触体を介して吐液管取付体に回転トルクが伝達され、基部取付体の軸受孔に対し吐液管取付体の軸部は回転する。
吐液管取付体は基部取付体に対し転がり対偶の関係にあるので摩擦力は小さい。
したがって、吐液管取付体から基部取付体に対し回転トルクがそれらの間の摩擦力に応じて伝達される。
しかし、伝達される回転トルクは、基部取付体と基部配管との間のねじ込みによる締結トルクよりも極めて小さいため、基部取付体が基部配管に対し緩むことはない。また、吐液管取付体と吐液管の保持体との間のねじ込みによる締結トルクよりも極めて小さいため、吐液管の保持ナットが吐液管取付体に対し緩むことはない。
換言すれば、流量調整体を持ち去られることがない利点を有する。
【手続補正５】
【補正対象書類名】明細書
【補正対象項目名】００２５
【補正方法】変更
【補正の内容】
【００２５】
まず、第1特殊工具係止部112を説明する。
第1特殊工具係止部112は、特殊工具124を係止することにより、基部取付体102を回転させることができる機能を有する。「回転」には、相対回転、及び1回転以内の回動を含む概念である。
第1特殊工具係止部112は、一般的に販売されている工具は係止できない工具係止部である。
本実施例1において、円筒状の基部取付体102の外周面106の対向する部分を所定の第1幅W1にて切削し、平行な一対の第1特殊工具係止面122A及び第2特殊工具係止面112Bにより第1特殊工具係止部112が構成されている。
具体的には、第1特殊工具係止面112A及び第2特殊工具係止面112Bの第1間隔D1は、特殊寸法であり、通常のスパナでは密に係合することができない。
また、第1特殊工具係止面112A及び第2特殊工具係止面112Bの第1幅W1は、通常のモンキーレンチの幅でははみ出してしまい、係合できない幅に形成されている。
換言すれば、第1特殊工具係止部112には所定形態の特殊工具124のみが係止できる仕様に設定されている。
実施例1において、第1特殊工具係止部112は、基部取付体102の外周面106の大径部に形成されているが、後述の段部142を形成する小径部に形成することもできる
【手続補正６】
【補正対象書類名】明細書
【補正対象項目名】００４２
【補正方法】変更
【補正の内容】
【００４２】
次に吐液管取付孔154を説明する。
吐液管取付孔154は、吐液管10の基部11が挿入され、摩擦接触体28を介して吐液管10を回転可能に取付けられる機能を有する。
吐液管取付孔154は、保持孔152よりも大径の円形孔であって、吐液管取付体104の一端部に形成されている。
吐液管10の基部にUリング14が嵌め合わされた状態で吐液管取付孔154に当該基部11が挿入される。
吐液管10の基部11の肉部が隙間186に挿入された状態で保持ナット24の内ねじ部20をねじ部156の外ねじ部188にねじ込む。
これにより、保持ナット24のフランジ部24Fが樹脂リング32を介して吐液管10を奥部へ押し進め、基部11の先端は流量調整体176の第3大径部182を押し込み、流量調整体176の端面を段部178に押しつけて固定する。
保持ナット24のねじ込みは、第2特殊工具係止部158に特殊工具124を係止し、保持ナット24に市販されている工具を係止することにより締め付ける。
これにより、樹脂リング32はフランジ24Fと吐液管取付体104の端面との間で変形され、保持ナット24は特殊工具124なしでは取り外し出来なくなる。
Uリング14は、吐液管10と吐液管取付体104との間からの漏水を防止する。
【手続補正７】
【補正対象書類名】明細書
【補正対象項目名】００４７
【補正方法】変更
【補正の内容】
【００４７】
吐液管10が回動された場合、摩擦接触体28を介して吐液管取付体104に対し回転トルクが作用する。
しかし、軸部162と軸受孔120との間の摩擦力は回転対偶の軸受け構造になっているので、吐液管10、摩擦接触体28及び吐液管取付体104との間の摩擦力に対して極めて小さく、実質的に無視できる大きさである。
よって、吐液管取付体104の軸部162が基部取付体102の軸受孔120に対し回転する。
この際、軸部162と軸受孔120との間の摩擦接触により基部取付体102に対し回転トルクが伝達されるが、基部取付体102と基部配管34との間のねじ締結による摩擦力による静止力に対し極めて小さいため、実質的に無視できる回転トルクである。
したがって、吐液管10の回転よって基部取付体102が基部配管34に対して、及び保持ナット24が吐液管取付体104に対して緩むことがない。
また、吐液管取付体104は係止リング172及び第2大径部144の端面170によって、換言すれば、基部取付体102の係止部134によって基部取付体102に対し軸線方向にスライドできない。
そして、係止リング172は基部取付体102の内部に位置しているので外部からアクセスできない。
換言すれば、吐液管取付体104は基部取付体102から容易に分離することができない。
以上より、流量調整体176を不正に取り外されない利点がある。
なお、本実施例1とは逆に、基部取付体102を吐液管10に、吐液管取付体104を基部配管34に取付けることもできる。